(57)【特許請求の範囲】
【請求項１】
透光性目盛り盤（２０ａ、４０ａ）と、
この目盛り盤にその裏面に沿い配設された導光板（５０）と、
この導光板に沿いその裏面側にて配設された柔軟性配線板（６０）と、
この配線板の裏面側に設けられて当該配線板の貫通穴部（６１）、前記導光板の貫通穴部（５１）及び前記目盛り盤の貫通穴部（１１）を通り回動可能に延出する指針軸（２３）を有する回動内機（２０ｂ、４０ｂ）と、
前記目盛り盤の表面に沿い回動するように前記指針軸の先端部に回動基部（２４ａ）にて支持される指針（２０ｃ、４０ｃ）と、
前記目盛り盤に前記導光板を通して光を透過させる少なくとも１つの目盛り盤用光源（７０）とを備えて、
前記配線板は、前記貫通穴部の近傍周囲に沿い切り欠き形成されて前記導光板の貫通穴部内に向けＬ字状に折り曲げた少なくとも１つの折り曲げ部（６３）を有し、
前記光源は、前記折り曲げ部に設けられて前記導光板の貫通穴部の内周面に向いている指示計器。
【請求項２】
透光性目盛り盤（２０ａ、４０ａ）と、
この目盛り盤にその裏面に沿い配設された導光板（５０）と、
この導光板に沿いその裏面側にて配設された柔軟性配線板（６０）と、
この配線板の裏面側に設けられて当該配線板の貫通穴部（６１）、前記導光板の貫通穴部（５１）及び前記目盛り盤の貫通穴部（１１）を通り回動可能に延出する指針軸（２３）を有する回動内機（２０ｂ、４０ｂ）と、
前記目盛り盤の表面に沿い回動するように前記指針軸の先端部に回動基部（２４ａ）にて支持される発光指針（２０ｃ、４０ｃ）と、
前記目盛り盤に前記導光板を通して光を透過させる少なくとも１つの目盛り盤用光源（７０）と、
前記配線板の表面の前記貫通穴部の周囲に設けられて前記発光指針の回動基部に前記導光板及び目盛り盤の各貫通穴部を通して前記発光指針内にその回動基部から光を入射する指針用光源（８０）とを備えて、
前記配線板は、前記貫通穴部の近傍周囲に沿い切り欠き形成されて前記導光板の貫通穴部内に向けＬ字状に折り曲げた少なくとも１つの折り曲げ部（６３）を有し、
前記目盛り盤用光源は、前記折り曲げ部の表面に設けられて前記導光板の貫通穴部の内周面に向いている指示計器。
【請求項３】
前記配線板は、前記回動内機にも電気的に接続されていることを特徴とする請求項１または２に記載の指示計器。
【発明の詳細な説明】
【０００１】
【発明の属する技術分野】
本発明は指示計器に関するものである。
【０００２】
【従来の技術】
従来、例えば、車両用指示計器には、特開平９−２１６５５号公報にて示すようなものがある。
【０００３】
この指示計器では、目盛り盤とその裏面側に位置する回動内機との間にプリント基板が介装され、このプリント基板の表面上に、目盛り盤及び発光指針の双方に光を入射するための光源が配設されている。
【０００４】
【発明が解決しようとする課題】
ところで、上述した指示計器では、上記プリント基板が、柔軟性を有しない剛性材料からなる平板状の所謂リジット基板でもって構成されている。このため、光源の光を横方向、即ち、プリント基板の面に沿う方向に導光するように、当該光源をプリント基板の面上に取り付けることはできない。
【０００５】
これに対しては、光源の光を横方向に導光するように、適宜な取り付け部材を用いて当該光源をプリント基板の面に取り付けることが考えられるが、上記取り付け部材という余分な部材が必要となり、余分な取り付け作業が必要となり、しかも、コスト高となる。また、光源として、特殊な横向きの光源を採用することも考えられるが、このような光源は汎用性に欠けコスト高を招く。
【０００６】
そこで、本発明は、以上のようなことに対処するため、光源を設ける配線板として、柔軟性配線板を用いる指示計器を提供することを目的とする。
【０００９】
【課題を解決するための手段】
上記課題の解決にあたり、請求項１に記載の発明によれば、透光性目盛り盤（２０ａ、４０ａ）と、この目盛り盤にその裏面に沿い配設された導光板（５０）と、この導光板に沿いその裏面側にて配設された柔軟性配線板（６０）と、この配線板の裏面側に設けられて当該配線板の貫通穴部（６１）、導光板の貫通穴部（５１）及び目盛り盤の貫通穴部（１１）を通り回動可能に延出する指針軸（２３）を有する回動内機（２０ｂ、４０ｂ）と、目盛り盤の表面に沿い回動するように指針軸の先端部に回動基部（２４ａ）にて支持される指針（２０ｃ、４０ｃ）と、目盛り盤に導光板を通して光を透過させる少なくとも１つの目盛り盤用光源（７０）とを備えて、配線板は、その貫通穴部の近傍周囲に沿い切り欠き形成されて導光板の貫通穴部内に向けＬ字状に折り曲げた少なくとも１つの折り曲げ部（６３）を有し、光源は、折り曲げ部に設けられて導光板の貫通穴部の内周面に向いている指示計器が提供される。
【００１０】
このように、柔軟性のある配線板には、折り曲げ部が上述のごとく切り欠き形成されている。従って、折り曲げ部を導光板の貫通穴部内にＬ字状に容易に折り曲げることができ、その結果、目盛り盤用光源の光が導光板の貫通穴部の内周面に向け横方向に向くように、当該光源を容易に位置させることができる。この場合、上述のように、配線板の折り曲げ部を折り曲げるのみでよいので、目盛り盤用光源の光を横方向に向けるにあたり余分な部材を採用する必要がない。
【００１１】
また、請求項２に記載の発明によれば、透光性目盛り盤（２０ａ、４０ａ）と、この目盛り盤にその裏面に沿い配設された導光板（５０）と、この導光板に沿いその裏面側にて配設された柔軟性配線板（６０）と、この配線板の裏面側に設けられて当該配線板の貫通穴部（６１）、導光板の貫通穴部（５１）及び目盛り盤の貫通穴部（１１）を通り回動可能に延出する指針軸（２３）を有する回動内機（２０ｂ、４０ｂ）と、目盛り盤の表面に沿い回動するように指針軸の先端部に回動基部（２４ａ）にて支持される発光指針（２０ｃ、４０ｃ）と、目盛り盤に導光板を通して光を透過させる少なくとも１つの目盛り盤用光源（７０）と、配線板の表面の貫通穴部の周囲に設けられて発光指針の回動基部に導光板及び目盛り盤の各貫通穴部を通して発光指針内にその回動基部から光を入射する指針用光源（８０）とを備えて、配線板は、その貫通穴部の近傍周囲に沿い切り欠き形成されて導光板の貫通穴部内に向けＬ字状に折り曲げた少なくとも１つの折り曲げ部（６３）を有し、目盛り盤用光源は、折り曲げ部の表面に設けられて導光板の貫通穴部の内周面に向いている指示計器が提供される。
【００１２】
このように、請求項１に記載の発明にて述べた目盛り盤用光源に加え、発光指針に光を入射する指針用光源を有するものでも、請求項１に記載の発明と同様の作用効果を達成できる。
【００１５】
ここで、請求項３に記載の発明によれば、請求項１または２に記載の指示計器において、配線板は、回動内機にも電気的に接続されている。
【００１６】
これにより、光源との電気的接続のために当該光源を設けてなる配線板を回動内機用配線にも利用できる。
【００１７】
【発明の実施の形態】
以下、本発明の一実施形態を図面に基づいて説明する。
【００１８】
図１乃至図４は、本発明が車両用コンビネーションメータに適用された例を示している。
【００１９】
このコンビネーションメータは、当該車両の車室内のインストルメントパネルに配設されており、当該コンビネーションメータは、図１及び図２にて示すごとく、計器板１０並びに計器板１０に配設した車速計２０、インジケータ３０及び回転計４０を備えている。
【００２０】
車速計２０は、計器板１０に形成された目盛り盤２０ａと、計器板１０の裏面側にて目盛り盤２０ａに対応する位置に設けた回動内機２０ｂとを備えている。
【００２１】
目盛り盤２０ａは、計器板１０の図１にて図示左側部にて、当該計器板１０の表面のうち目盛り盤２０ａに対応する部分により構成されている。なお、計器板１０のうち目盛り盤２０ａ及び後述するインジケータ部３０ａ並びに目盛り盤４０ａを除く部分は黒色となっている。
【００２２】
目盛り盤２０ａは、当該車両の車速を表示する略円弧状目盛り部２１を備えており、この目盛り部２１の目盛りや文字は黒色となっている。なお、目盛り盤２０ａは、目盛り部２１の目盛りや文字を除き光を透過するようになっている。
【００２３】
回動内機２０ｂは、交差コイル型駆動部２２と、指針軸２３とを備えており、指針軸２３は、駆動部２２から後述するプリント基板６０の貫通穴部６１、導光板５０の貫通穴部５１及び計器板１０の貫通穴部１１（目盛り盤２０ａの貫通穴部でもある）を通り上方へ回動可能に延出している。但し、回動内機２０ｂは、回路基板６０及び導光板５０と共にケーシング（図示しない）内に支持されている。なお、駆動部２２は、入力に応じた電磁力に基づき指針軸２３を回動する。
【００２４】
また、車速計２０は、発光指針２０ｃを備えており、この発光指針２０ｃは、指針本体２４と、キャップ２５とを有している。指針本体２４は、透明の導光樹脂材料により長手状に形成されており、この指針本体２４は、その回動基部２４ａのボスにて、指針軸２３の先端部に支持されている。この指針本体２４の回動基部２４ａは、図２にて示すごとく、傾斜面２４ｂを備えており、この傾斜面２４ｂは反射面としての役割を果たす。なお、キャップ２５は、指針本体２４の回動基部２４ａを上方から被覆している。
【００２５】
これにより、発光指針２０ｃにおいては、指針本体２４の回動基部２４ａ内にその裏面から光が入射すると、この光は傾斜面２４ｂにより反射されて指針部２４ｃ内に進む。これに伴い、発光指針２０ｃは指針部２４ｃにて上方に向け発光する。
【００２６】
導光板５０は、計器板１０にその裏面に沿い配設されており、この導光板５０は、後述のように貫通穴部５１の内周面から光を導入して計器板１０に面状光として入射する。なお、導光板５０は、導光性樹脂材料により形成されている。
【００２７】
プリント基板６０は、柔軟性を有するもので、このプリント基板６０は、上記ケーシング内にて駆動部２２上に沿い導光板６０を介し計器板１０に並行に支持されている。当該プリント基板６０には、切り欠き６２が、貫通穴部６１を中心としてその周囲に図３にて示す形状でもって形成されている。ここで、切り欠き６２は、円弧状切り欠き部６２ａから複数の放射状切り欠き部６２ａを貫通穴部６１を中心として放射状に形成して構成されている。これにより、各両隣接切り欠き部６２ａの間には、折り曲げ部６３がそれぞれ形成されている。
【００２８】
複数の目盛り盤用光源７０の各々は、図３にて示すごとく、プリント基板６０の各折り曲げ部６３の表面に設けられており、これら各光源７０は、対応の各折り曲げ部６３の表面に垂直に外方へ向け発光するようになっている。
【００２９】
ここで、プリント基板６０の各折り曲げ部６３は、導光板５０の貫通穴部５１内に位置し、図２にて図示上方に向けＬ字状に折り曲げられている。このため、各光源７０は、図２にて横方向（導光板５０の裏面に沿う方向）に向き、導光板５０の貫通穴部５１の内周面に向けて発光するように位置している。
【００３０】
また、複数の発光指針用光源８０は、図２及び図３にて示すごとく、プリント基板６０のうち貫通穴部６１の周囲に位置する環状部６４の表面に周方向に間隔をおいて配設されており、これら各指針用光源８０は、導光板５０の貫通穴部５１及び計器板１０の貫通穴部１１を通して発光指針２０ｃの回動基部２４ａに対向している。これにより、各光源８０は、その光を発光指針２０ｃの回動基部２４ａ内に入射する。
【００３１】
また、遮光用筒体９０が、各光源８０をその外周側から隔離するように、プリント基板６０の切り欠き部６２ａを介して、回動内機２０ｂの駆動部２２の上面に、指針軸２３と同軸的に立設されている。
【００３２】
また、回転計４０も、車速計２０と実質的に同様に構成されている。この回転計４０は、計器板１０に形成した目盛り盤４０ａと、計器板１０の裏面側に配設した回動内機４０ｂ（図３参照）を有している。インジケータ３０は、計器板１０に形成したインジケータ部３０ａを備えている。なお、図１及び図２において、各符号１００及び１１０は、環状の見返し板及びフロントパネルをそれぞれ示す。
【００３３】
また、コンビネーションメータは、図４にて示すごとく、車速センサ、回転数センサ等の各種センサ１２０及び制御回路１３０を備えている。各種センサ１２０は、当該車両の車速やエンジンの回転数を検出する。
【００３４】
制御回路１３０は、当該車両のイグニッションスイッチＩＧを介しバッテリＢから給電されて、各種センサ１２０検出出力に基づく各回動内機２０ｂ、４０ｂの作動及び各光源７０乃至８０の時間差点消灯のための制御をする。
【００３５】
このように構成した本実施形態においては、柔軟性のあるプリント基板６０には、上述のごとく、各折り曲げ部６３を形成するように、図３にて示すような形状の切り欠き６２が形成されている。このことは、各折り曲げ部６３が図３にて示すような形状に切り欠き形成されていることを意味する。
【００３６】
従って、各折り曲げ部６３を導光板５０の貫通穴部５１内にＬ字状に容易に折り曲げることができ、その結果、各目盛り盤用光源７０の光が貫通穴部５１の内周面に向け横方向に向くように、当該各光源７０を容易に位置させることができる。この場合、上述のように、プリント基板６０の各折り曲げ部６３を折り曲げるのみでよいので、各光源７０の光を横方向に向けるにあたり余分な部材を採用する必要がない。
【００３７】
また、各光源８０が筒体９０により包囲隔離されているから、当該各光源８０の光が導光板５０内にその貫通穴部５１から入射することがない。よって、制御回路１３０により各光源８０に対し各光源７０を時間差点消灯制御すれば、面白みのある目盛り盤の照明を得ることができる。
【００３８】
図５及び図６は、上記実施形態の変形例を示している。この変形例においては、上記実施形態にて述べたプリント基板６０が、切り欠き６２に代えて、図６にて示すごとく、複数のコ字状切り欠き６５を備えている。これら各切り欠き６５は、導光板６０の端面のうち目盛り盤２０ａ側端面部に沿い間隔をおいて貫通穴部６１を中心とし放射状にかつコ字状に向くように位置している。これにより、各切り欠き６２は、貫通穴部６１側に折り曲げ可能な折り曲げ部６６を形成しており、これら各折り曲げ部６６の表面には、上記実施形態にて述べた各光源７０がそれぞれ設けられている。
【００３９】
ここで、プリント基板６０は、その各折り曲げ部６６にて、導光板５０の端面部に対向するようにＬ字状に折り曲げられている。このため、各光源７０は、図５にて横方向に向き、導光板６０の端面部に向けて発光するように位置している。これにより、導光板６０は、上記実施形態とは異なり、その端面部から各光源７０の光を導入して計器板１０に入射する。なお、上記実施形態にて述べた筒体９０は廃止されている。その他の構成は上記実施形態と同様である。
【００４０】
このように構成した本変形例では、柔軟性のあるプリント基板６０には、上述のごとく、各折り曲げ部６６を形成するように、図６にて示すような形状の切り欠き６５が形成されている。従って、各折り曲げ部６６を導光板５０の端面部に向けＬ字状に容易に折り曲げることができる。その結果、各目盛り盤用光源７０の光が導光板５０の端面部に向け横方向に向くように、当該各光源７０を容易に位置させることができる。その他の作用効果は上記実施形態と同様である。
【００４１】
なお、本発明の実施にあたっては、可動コイル型指示計器や可動鉄心型指示計器のように、回動する指針軸を有する指示計器や各種の計器に本発明を適用して実施しても、上記各実施形態と同様の作用効果を達成できる。
【００４２】
また、本発明の実施にあたり、プリント基板６０に限ることなく、柔軟性のある配線板を採用してもよい。
【００４３】
また、本発明の実施にあたり、コンビネーションメータに限ることなく、車速計単独の計器や回転計単独の計器に本発明を適用して実施してもよい。
【００４４】
また、本発明の実施にあたり、各指針用光源を廃止するとともに、発光指針に代えて、通常の指針を採用して実施してもよい。
【００４５】
また、本発明の実施にあたり、指示計器は車両用に限ることなく、船舶や航空機、その他各種の産業機器等に採用される指示計器に本発明を適用してもよい。
【００４６】
また、本発明の実施にあたり、プリント基板６０は片面型でも両面型でもよい。
【図面の簡単な説明】
【図１】本発明の一実施形態を示す部分的破断正面図である。
【図２】図１にて２−２線に沿う断面図である。
【図３】図１のプリント基板の部分破断平面図である。
【図４】上記実施形態の電気回路構成図である。
【図５】上記実施形態の変形例を示す部分断面図である。
【図６】上記変形例におけるプリント基板の部分平面図である。
【符号の説明】
１０…計器板、１１、５１、６１…貫通穴部、２０ａ、４０ａ…目盛り盤、
２０ｂ、４０ｂ…回動内機、２０ｃ、４０ｃ…発光指針、２３…指針軸、
５０…導光板、６０…プリント基板、６３、６６…折り曲げ部、
７０、８０…光源。
【図１】
0004178671.tif 000002
【図２】
0004178671.tif 000003
【図３】
0004178671.tif 000004
【図４】
0004178671.tif 000005
【図５】
0004178671.tif 000006
【図６】
0004178671.tif 000007